(57)【要約】【課題】  キャップの紛失を防ぐことができる上、筆記性能の低下を阻むことができ、且つ簡素な構造を有するキャップ付き筆記具を提供する。【解決手段】  軸筒１０と、軸筒１０から突出した筆記部２０と、筆記部２０に被せられたキャップ部４０と、キャップ部４０を前端側に接続したアーム部５１，５２とを備え、軸筒１０は、筆記部軸方向に対し直交する一方向の寸法が、該一方向に直交し且つ筆記部軸方向に対しても直交する他方向の寸法よりも小さい扁平状に形成され、キャップ部４０は、軸筒１０に相対し筆記部軸方向に沿って後退することにより筆記部２０に被さり逆方向へ前進することにより筆記部２０から離隔するように設けられ、アーム部５１，５２は、キャップ部４０が筆記部２０から離隔した状態で、前記一方向へ回動するように、軸筒１０に枢支されている。【選択図】  図１
2014091227.tif 000002
【特許請求の範囲】
【請求項１】
軸筒と、該軸筒から突出した筆記部と、該筆記部に被せられたキャップ部と、該キャップ部を前端側に接続したアーム部とを備え、
前記軸筒は、筆記部軸方向に対し直交する一方向の寸法が、該一方向に直交し且つ筆記部軸方向に対しても直交する他方向の寸法よりも小さい扁平状に形成され、
前記キャップ部は、前記軸筒に相対し筆記部軸方向に沿って後退することにより前記筆記部に被さり逆方向へ前進することにより前記筆記部から離隔するように設けられ、
前記アーム部は、前記キャップ部が前記筆記部から離隔した状態で、前記一方向へ回動するように、前記軸筒に枢支されていることを特徴とするキャップ付き筆記具。
【請求項２】
前記アーム部は、前記軸筒に対し筆記部軸方向へ進退可能に枢支され、この進退によって前記キャップ部を前記筆記部に被せたり前記筆記部から離隔したりすることを特徴とする請求項１記載のキャップ付き筆記具。
【請求項３】
前記アーム部と前記軸筒とのうちの一方に、支持軸を設けるとともに、その他方には前記支持軸を回転可能且つ進退可能に支持する長尺状の支持孔を設けたことを特徴とする請求項１又は２記載のキャップ付き筆記具。
【請求項４】
前記アーム部は、前記軸筒を間に置くようにして一対に設けられることを特徴とする請求項１乃至３何れか１項記載のキャップ付き筆記具。
【請求項５】
前記キャップ部が前記筆記部から離隔した際に前記キャップ部及び前記アーム部を回動させるように、付勢部材を設けたことを特徴とする請求項１乃至４何れか１項記載のキャップ付き筆記具。
【請求項６】
前記付勢部材は、一端側を前記軸筒に係合するとともに他端側を前記アーム部に係合して、前記アーム部の回転中心部の周りに設けられたねじりコイルバネであることを特徴とする請求項５記載のキャップ付き筆記具。
【請求項７】
前記アーム部を後退方向へ付勢する付勢部材を設けたことを特徴とする請求項１乃至６何れか１項記載のキャップ付き筆記具。
【請求項８】
前記軸筒は、前記一方向における一端側の面に接続部を有するとともに、同一方向における他端側の面には、前記接続部に着脱可能な被接続部を有することを特徴とする請求項１乃至７何れか１項記載のキャップ付き筆記具。
【発明の詳細な説明】
【技術分野】
【０００１】
本発明は、着脱されるキャップによって筆記部を覆ったり露出したりするようにしたキャップ付き筆記具に関するものである。
【背景技術】
【０００２】
この種の従来技術には、例えば特許文献１に記載のもののように、軸筒（ペン軸１）と、該軸筒の前端側に固定された筆記部（ペン先３）と、該筆記部を切欠状の保持部（１１）によって部分的に覆う封緘具（９）と、該封緘具（９）を一端側に有するとともに他端側が前記軸筒に枢支された枠杆（４）とを備え、筆記部（ペン先３）から封緘具（９）を外す際には、該筆記部（ペン先３）に対し封緘具（９）の切欠状の保持部（１１）を交差方向へ通過させるようにして、封緘具（９）を回動させるようにしたボールペンがある。
また、他の従来技術としては、例えば特許文献２に記載のもののように、軸筒（外側バレル１２）と、該軸筒の前端側に突出可能に没入された筆記部（ペン先１６）と、前記軸筒の前端開口を塞ぐキャップ（２０）と、該キャップを一端側に有するとともに他端側が前記軸筒に枢支されたアーム（１８）と、該アーム（１８）の回転運動を筆記部（ペン先１６）の直線運動に変換するギヤ歯（３２）及びスリーブギヤ歯（２８）とを備え、キャップ（２０）の開放動作に伴うアーム（１８）の回動に連動して、筆記部（ペン先１６）を軸筒前端から突出させ、同アーム（１８）の逆方向の回動に連動して筆記部（ペン先１６）を軸筒前端に没入させるようにした「ペン先が引き込み自在式の筆記具」が知られている。
これら従来の筆記具によれば、軸筒からキャップを完全に分離しないで用いられるため、キャップの紛失を防ぐことができる。
【０００３】
しかしながら、前者の従来技術では、切欠状の前記保持部によってボールペンチップである筆記具を保護するものなので、前記保持部の側方側が外部に連通しており、筆記部を密閉することができない。このため、万が一筆記部からインク漏れを生じた場合には漏れたインクを外部へ流出させてしまうおそれがある。特に、前記筆記部をサインペンやマーカーペンのペン先として構成した場合には、該ペン先を密閉するのが困難であり、前記のようなインク流出に加えて、インクを揮発させてしまうおそれもある。
また、後者の従来技術では、筆記部が前後方向へ移動する構造であるため、筆記の際に、筆圧の変化によって筆記部が前後へがたつくおそれがある。その上、アームの回動に連動して筆記部を出没させるようにしているため、その機構が複雑であった。
【先行技術文献】
【特許文献】
【０００４】
【特許文献１】実開昭６１−７００８２号公報
【特許文献２】特表２０１１−５００３７１号公報
【発明の概要】
【発明が解決しようとする課題】
【０００５】
本発明は上記従来事情に鑑みてなされたものであり、その課題とする処は、キャップの紛失を防ぐことができる上、筆記性能の低下を阻むことができ、且つ簡素な構造を有するキャップ付き筆記具を提供することにある。
【課題を解決するための手段】
【０００６】
上記課題を解決するための一手段は、軸筒と、該軸筒から突出した筆記部と、該筆記部に被せられたキャップ部と、該キャップ部を前端側に接続したアーム部とを備え、前記軸筒は、筆記部軸方向に対し直交する一方向の寸法が、該一方向に直交し且つ筆記部軸方向に対しても直交する他方向の寸法よりも小さい扁平状に形成され、前記キャップ部は、前記軸筒に相対し筆記部軸方向に沿って後退することにより前記筆記部に被さり逆方向へ前進することにより前記筆記部から離隔するように設けられ、前記アーム部は、前記キャップ部が前記筆記部から離隔した状態で、前記一方向へ回動するように、前記軸筒に枢支されていることを特徴とする。
【発明の効果】
【０００７】
本発明は、以上説明したように構成されているので、キャップの紛失を防ぐことができる上、筆記性能の低下を阻むことができ、且つ簡素な構造を有するキャップ付き筆記具を提供することができる。
【図面の簡単な説明】
【０００８】
【図１】本発明に係るキャップ付き筆記具の一例を示す斜視図。
【図２】同キャップ付き筆記具の平面図。
【図３】同キャップ付き筆記具を前方側から視た図。
【図４】図２の（IV）‐（IV）線に沿う断面図。
【図５】図１の（V）‐（V）線に沿う断面図。
【図６】同キャップ付き筆記具の動作を示す断面図であり、（ａ）は筆記部にキャップ部を被せた状態、（ｂ）はキャップ部から筆記部が引き離された状態を示す。
【図７】同キャップ付き筆記具の動作を示す断面図であり、（ｃ）はキャップ部に対し軸筒を回動させた状態、（ｄ）は回動後の軸筒を後退させた状態を示す。
【図８】図２の（VIII）‐（VIII）線に沿う断面図であり、（ａ）は筆記部にキャップ部が被された状態、（ｂ）はキャップ部から筆記部が引き離された状態、（ｃ）はキャップ部に対し軸筒を９０度回転させた状態、（ｄ）はキャップ部に対し軸筒を１８０度回転させた状態、（ｅ）１８０度回動した軸筒を後退させた状態を示す。
【図９】図２の（IX）‐（IX）線に沿う断面図であり、（ａ）は筆記部にキャップ部が被された状態、（ｂ）は筆記部からキャップ部が引き離された状態、（ｃ）はキャップ部に対し軸筒を９０度回転させた状態、（ｄ）はキャップ部に対し軸筒を１８０度回転させた状態、（ｅ）は１８０度回動した軸筒を後退させた状態を示す。
【図１０】同キャップ付き筆記具を複数連結した状態を示す。
【図１１】本発明に係るキャップ付き筆記具について、一部断面で示す動作説明図であり、（ａ）は筆記部にキャップ部が被された状態、（ｂ）は筆記部からキャップ部が引き離された状態、（ｃ）は軸筒をキャップ部に対し１８０度回転させた状態を示す。
【発明を実施するための形態】
【０００９】
本実施の形態の第一の特徴は、軸筒と、該軸筒から突出した筆記部と、該筆記部に被せられたキャップ部と、該キャップ部を前端側に接続したアーム部とを備え、前記軸筒は、筆記部軸方向に対し直交する一方向の寸法が、該一方向に直交し且つ筆記部軸方向に対しても直交する他方向の寸法よりも小さい扁平状に形成され、前記キャップ部は、前記軸筒に相対し筆記部軸方向に沿って後退することにより前記筆記部に被さり逆方向へ前進することにより前記筆記部から離隔するように設けられ、前記アーム部は、前記キャップ部が前記筆記部から離隔した状態で、前記一方向へ回動するように、前記軸筒に枢支されている。
この構成によれば、キャップ部を筆記部軸方向へ進退させて筆記部に被せたり同筆記部から離隔したりすることができる上、キャップ部を筆記部から離隔した状態では、アーム部を回転させることにより、キャップ部及びアーム部が筆記の邪魔にならないように配置することができる。
また、キャップ部を筆記部軸方向へ進退させて着脱する構造であるため、キャップ部を筆記部周方向へ連続するように形成すれば、該キャップ部による密閉性を向上することが可能である。また、筆記部を軸筒に対し進退させる機構が不要である。
よって、キャップ部の紛失を防ぐことができる上、筆記性能の低下を阻むことができ、且つ簡素な構造とすることができる。
【００１０】
第二の特徴としては、前記アーム部は、前記軸筒に対し筆記部軸方向へ進退可能に枢支され、この進退によって前記キャップ部を前記筆記部に被せたり前記筆記部から離隔したりする。
この構成によれば、アーム部を進退可能に枢支する構造によってキャップ部に対し軸筒を進退させることができ、その進退構造を、具体的な簡素構造とすることができる。
【００１１】
第三の特徴としては、前記アーム部と前記軸筒とのうちの一方に、支持軸を設けるとともに、その他方には前記支持軸を回転可能且つ進退可能に支持する長尺状の支持孔を設けた。
この構成によれば、アーム部を回転可能かつ進退可能にする構造を、簡素な具体的構造とすることができる。
【００１２】
第四の特徴としては、前記アーム部は、前記軸筒を間に置くようにして一対に設けられる。
この構成によれば、軸筒を間に挟むようにして配置される二つのアーム部により、該アーム部及びキャップ部に対する軸筒の移動を安定的かつスムーズに行うことができる。
【００１３】
第五の特徴としては、前記キャップ部が前記筆記部から離隔した際に前記キャップ部及び前記アーム部を回動させるように、付勢部材を設けた。
この構成によれば、キャップ部から筆記部を離隔すれば、キャップ部及びアーム部に対し軸筒が付勢部材の付勢力によって回転するので、速やかに筆記姿勢をとることができる。
【００１４】
第六の特徴としては、前記付勢部材は、一端側を前記軸筒に係合するとともに他端側を前記アーム部に係合して、前記アーム部の回転中心部の周りに設けられたねじりコイルバネである。
この構成によれば、キャップ部及びアーム部に対し軸筒を強制的に回転させるための、具体的構造を得ることができる。
【００１５】
第七の特徴としては、前記アーム部を後退方向へ付勢する付勢部材を設けた。
この構成によれば、筆記部にキャップ部を被せる動作を付勢部材の付勢力により行うことができる上、筆記部にキャップ部が被せられた状態を付勢部材の付勢力により維持することができ、ひいては、キャップと軸筒との間に隙間が形成されて該隙間からインクが漏れるようなことを防ぐことができる。
【００１６】
第八の特徴としては、前記一方向における一端側の面に接続部を有するとともに、同一方向における他端側の面には、前記接続部に着脱可能な被接続部を有する。
この構成によれば、複数のキャップ付き筆記具を省スペースに接続することができ、ひいては、当該キャップ付き筆記具の収納性や搬送性等を向上することが可能になる。
【００１７】
また、より好ましい特徴としては、長尺状の前記支持孔の後端側において、該支持孔の幅を、その前側部分よりも、前記アーム部の進退方向に対する交差方向へ広くする。
この構成によれば、軸筒をアーム部に対し後退させると、支持軸が長尺状の支持孔における後側の幅広部分に嵌り合ったり擦れたりして前進し難くなる。よって、後退させた軸筒が不意に元の前進位置に戻ってしまうようなことを防ぐことができる。
【００１８】
また、上記形態とは独立して作用効果を奏する他の好ましい形態では、軸筒と、該軸筒から突出した筆記部と、該筆記部に被せられたキャップ部と、該キャップ部を前端側に接続したアーム部とを備え、前記アーム部を、前記軸筒を間に置くようにして一対に設けるとともに、筆記部軸方向に対する交差方向へ回動するように、前記軸筒に枢支したキャップ付き筆記具において、
前記軸筒の一方の側部と他方の側部に、それぞれ、支持軸を突設するとともに、これら二つの支持軸のうち、その一方を他方に対し後方へずらして配置し、
前記一対のアーム部には、それぞれ、前記支持軸を回転可能に支持する支持孔を設けるとともに、これら二つの支持孔のうち、少なくとも後方へずらした前記一方の支持軸に対応する支持孔を、前後方向へ長尺状に形成し、
前記キャップ部及び前記アーム部に対し前記軸筒が略１８０度回転した際に、前記一方の支持軸が、対応する前記支持孔の長尺方向の端部に当接して、前記軸筒がキャップ部側へ移動しないようにした（図１１参照）。
この構成によれば、前記キャップ部及び前記アーム部に対し軸筒が略１８０度回転した際に、その軸筒がキャップ部側へ移動しないため、速やかに筆記姿勢をとることができる。
【００１９】
なお、本明細書中、「筆記部軸方向」とは、筆記部の中心線の延びる方向を意味する。また、「前」とは、キャップが軸筒から離れる方向側を意味する。また、「後」とは、キャップが軸筒に近づく方向側を意味する。また、「筆記部径方向」とは、筆記部軸方向に対し直交する方向を意味する。
【００２０】
次に、上記形態の好ましい具体例を、図面に基づいて詳細に説明する。
【００２１】
＜キャップ付き筆記具１について＞
キャップ付き筆記具１は、図１〜図１０に示すように、軸筒１０と、該軸筒１０に不動に設けられた筆記部２０と、軸筒１０内で筆記部２０へインクを供給するインク含浸体３０と、筆記部２０に被せられたキャップ部４０と、該キャップ部４０を前端側に接続するとともにその後端側が軸筒１０に支持された略Ｕ字状の一対のアーム部５１，５２と、キャップ部４０が筆記部２０から離隔した際にキャップ部４０及びアーム部５１，５２に対し軸筒１０を回動させる第一の付勢部材６０と、アーム部５１，５２に対し軸筒１０を近づける方向（図５によれば左方向）へ付勢する第二の付勢部材７０とを具備している。
【００２２】
軸筒１０は、合成樹脂材料から一体に成形され、インク含浸体３０を内在する本体部１１と、該本体部１１から前方へ突出して筆記部２０を保持する筒状保持部１２とを有する。
この軸筒１０は、図示例によれば、厚み方向（図４における上下方向）へ分割された一半部１０ａと他半部１０ｂとを凹凸嵌合することで構成される。
なお、軸筒１０の他例としては、例えば、筆記部軸方向の前後に分割された複数の部材からなる態様等とすることも可能である。
【００２３】
本体部１１は、筆記部軸方向に対し直交する一方向（図４の上下方向）の寸法が、該一方向に直交し且つ筆記部軸方向に対しても直交する他方向（図５の上下方向）の寸法よりも小さい扁平中空状に形成され、その内部の空間にインク含浸体３０を有する。この本体部１１の平面視形状は、図示例によれば、略正方形状である（図２参照）。
この本体部１１における前記他方向（図５の上下方向）の両端部には、後述するアーム部５１，５２を支持するための支持軸１１ａ，１１ｂが設けられる。
本体部１１における前記一方向の両端部には、接続部１１ｃと、該接続部１１ｃに着脱可能な被接続部１１ｄとが設けられる（図１０参照）。
また、本体部１１の内部には、インク含浸体３０を挿入するための略円柱状のインク収容室１１ｅ（図５参照）が設けられ、このインク収容室１１ｅの内壁面には、インク含浸体３０を支持するための複数のリブ１１ｅ１が突設される。
【００２４】
支持軸１１ａは、本体部１１の前記他方向の一端部（図５によれば下端部）において、本体部１１中心よりも前側（図５によれば左側）の部分から突出している。そして、この支持軸１１ａは、基端側に位置する基軸部１１ａ１と、該基軸部１１ａ１の先端側に接続されるとともに後述する第一の付勢部材６０によって回転方向の一方へ付勢された被付勢軸部１１ａ２と、該被付勢軸部１１ａ２の先端側に接続されるとともに該被付勢軸部１１ａ２よりも小径な先端軸部１１ａ３とを有する略円柱状に構成される。
【００２５】
基軸部１１ａ１は、アーム部５１の軸筒中心側の内壁（詳細には支持孔５１ａ）に挿入され嵌り合い、アーム部５１に対し回転自在且つ所定量進退自在に支持される。
被付勢軸部１１ａ２は、その外周面に第一の付勢部材６０を巻き付けるとともに該第一の付勢部材６０の一端側を止着している。
先端軸部１１ａ３は、アーム部５１の外側の壁面（詳細には補助案内溝５１ｂ）に嵌り合って、軸筒１０の回転時及び進退時のがたつきを防止する。
【００２６】
また、アーム部５２側の支持軸１１ｂは、本体部１１の前記他方向の一端部（図５によれば上端部）において、前記支持軸１１ａと略同軸となるように突出している。そして、このアーム部５２は、基端側に位置する基軸部１１ｂ１と、該基軸部１１ｂ１の先端側に接続されるとともに後述する第二の付勢部材７０によってキャップ部４０方向へ付勢された被付勢軸部１１ｂ２とを有し、略円柱状に構成される。
【００２７】
基軸部１１ｂ１は、アーム部５２の軸筒中心側の内壁（詳細には支持孔５２ａ）に挿入され嵌り合い、アーム部５１に対し回転自在且つ所定量進退自在に支持される。
被付勢軸部１１ｂ２は、後述する第二の付勢部材７０の一端側が止着される。
【００２８】
接続部１１ｃ及び被接続部１１ｄは、本体部１１を平面視した際の四角側に配置される。接続部１１ｃは、二つの半円状外面を有する突起である。また、被接続部１１ｄは、接続部１１ｃの外周面にならう形状の凹部であり、接続部１１ｃに対し嵌脱可能となるように形成される（図１０参照）。
【００２９】
また、筒状保持部１２は、本体部１１前端から筆記部軸方向に沿って前方へ突出するとともに、その内部をインク収容室１１ｅに連通させた円筒状に形成されている（図４及び図５参照）。この筒状保持部１２は、図示例によれば、本体部１１と一体に成形されているが、本体部１１とは別体の部材を本体部１１に対し接続した構成とすることも可能である。
この筒状保持部１２の内周面には、筆記部２０の外周面に当接して該筆記部２０を保持する複数の縦リブ１２ａが、周方向に間隔を置いて設けられる。この縦リブ１２ａ間の空間は、インク含浸体３０のインクの吐出に伴って外気をインク収容室１１ａ内へ導入する通気路として作用する。
【００３０】
筆記部２０は、多数の合成繊維を集束してなる軸状の繊維集束体であり、その後端部を本体部１１内でインク含浸体３０に圧入させるとともに、前端部を本体部１１前端の筒状保持部１２から前方へ突出しており、インク含浸体３０に含浸されたインクを、多数の繊維間の毛細管力によって前方へ導く（図４及び図５参照）。
この筆記部２０の前端部は、図示例によれば、前方へ向かって厚みを徐々に狭くした楔状に形成され、その突端の傾斜する直線状部分２１が被筆記面（図示しない紙面等）に当接されるようにしている。このような形状の筆記部２０は、チゼルタイプと呼称される場合がある。
前記直線状部分２１は、軸筒径方向に対し傾斜し且つ扁平状の本体部１１の厚み方向の両端面に平行する直線状に形成される。この構成によれば、軸筒１０が厚み方向に挟まれて把持され筆記が行われた際に、最大限に太い線を筆記することが可能となる。
【００３１】
また、インク含浸体３０は、多数の合成繊維からなる略円柱状の中綿又はフェルトにインクを含浸させたものである。
【００３２】
キャップ部４０は、前端側を閉鎖した有底円筒状に形成され、アーム部５１，５２の前端に一体的に接続され、軸筒１０に相対し筆記部軸方向に沿って後退することにより筆記部２０に被さり、逆方向へ前進することにより筆記部２０から離れるように設けられる。
このキャップ部４０は、後端側の内縁を軸筒１０の筒状保持部１２前端外周面に全周にわたって嵌め合せ、内部を気密に保持する。
なお、図示例によれば、キャップ部４０は、複数の部材から有底円筒状に形成されるが、他例としては、単一の部材から有底円筒状に形成した態様や、後述するアーム部５１，５２と一体の部材とした態様等とすることが可能である。
【００３３】
また、一対のアーム部５１，５２は、合成樹脂材料等から一体略Ｕ字状に成形され、その前端側に、上記キャップ部４０を嵌合固定している（図５参照）。
これらアーム部５１，５２の後端側は、キャップ部４０が筆記部２０から離隔した状態で、本体部１１の厚み方向に直交する回転軸（詳細には支持軸１１ａ，１１ｂ）を中心にして前記厚み方向へ回動するように、軸筒１０の本体部１１に対し進退自在であって且つ回転自在に枢支されている。
これらアーム部５１，５２の各々は、図示例によれば、軸筒１０の厚み方向に並ぶ二つの部材を凹凸状に嵌合して中空状に構成される（図８及び図９参照）。
【００３４】
一方のアーム部５１は、中空の略横向きＬ字状に形成され、本体部１１に対向する壁面に、軸筒軸方向へわたる長尺状の支持孔５１ａを有する。
【００３５】
支持孔５１ａは、本体部１１における支持軸１１ａを遊嵌可能な幅を有するとともに、キャップ部４０を筆記部軸方向へ着脱可能な長さを有する長孔であり、支持軸１１ａの基軸部１１ａ１を回転自在且つ所定量進退自在に支持する。
より詳細に説明すれば、支持孔５１ａは、図８（ａ）に示すように、筆記部軸方向へわたって略同幅の案内部５１ａ１と、該案内部５１ａ１よりも後側で筆記部軸方向に交差する方向（図８（ａ）によれば上方）へ幅を広げた懐部５１ａ２とを有する。この構成によれば、アーム部５１，５２の後退により支持軸１１ａが相対的に後退した際に（図８（ｂ）参照）、支持軸１１ａが、懐部５１ａ２との嵌合や摩擦等により元の状態（図８（ａ）参照）に戻り難くなる。
なお、図示例によれば、懐部５１ａ２は、筆記部軸方向に交差する方向の一方（図８（ａ）によれば上方）のみに幅を広げた形状としたが、この懐部５１ａ２の他例としては、筆記部軸方向に交差する方向の両方向（図８（ａ）によれば上下）に幅を広げた形状とすることも可能である。
【００３６】
また、同アーム部５１における外壁の内側には、支持軸１１ａの先端軸部１１ａ３を回転自在且つ所定量進退自在に支持する補助案内溝５１ｂが設けられる（図５参照）。
【００３７】
また、アーム部５２は、前記アーム部５１と対称の中空の略横向きＬ字状に形成され、本体部１１に対向する壁面に、軸筒軸方向へわたる長尺状の支持孔５２ａを有する（図５参照）。
【００３８】
この支持孔５２ａは、本体部１１における支持軸１１ｂの基軸部１１ｂ１を遊嵌可能な幅を有するとともに、キャップ部４０を筆記部軸方向へ着脱可能な長さを有する長孔であり、支持軸１１ｂの基軸部１１ｂ１を回転自在且つ所定量進退自在に支持する。
【００３９】
また、第一の付勢部材６０は、一端側を軸筒１０側の支持軸１１ａに止着するとともに、他端側を一方のアーム部５１に接触させて、回転中心部となる支持軸１１ａの被付勢軸部１１ａ２に巻かれたねじりコイルバネであり、アーム部５１を一方向へ回転させるように付勢している。
この第一の付勢部材６０は、アーム部５１，５２が軸筒１０に相対し進退する際には、前記他端側（図５によれば、第一の付勢部材６０の左端部）をアーム部５１の内壁面に摺接させる。
【００４０】
また、第二の付勢部材７０は、一端側を軸筒１０側の支持軸１１ｂ（詳細には被付勢軸部１１ｂ２）に、該支持軸１１ｂの回転を妨げないように止着するとともに、他端側を他方のアーム部５２に止着した引張バネであり、筆記部２０の前方にキャップ部４０を配置した状態のアーム部５２を、後退方向（図５によれば右方向）へ付勢する。
【００４１】
次に、上記構成のキャップ付き筆記具１について、その特徴的な作用効果を詳細に説明する。
【００４２】
筆記部収納状態（図６（ａ），図８（ａ）及び図９（ａ）参照）では、筆記部２０にキャップ部４０が覆い被せられ、キャップ部４０の後端側の内周面が、軸筒１０における筒状保持部１２の前端側外周面に対し全周にわたって密接して嵌合し、この嵌合状態が第二の付勢部材７０の引張力により保持される。
したがって、この状態では、万が一、筆記部２０からインクの流出があったとしても、インクが外部へ流出するのを阻むことができる。
【００４３】
前記状態において、軸筒１０が手指等により筆記部軸方向に沿って引っ張られると、該軸筒１０が第二の付勢部材７０の引張力に抗して後方（図６によれば右方向）へスライドする。この際、軸筒１０側の支持軸１１ａ，１１ｂは、アーム部５１，５２の支持孔５１ａ，５２ａに沿って後方へ直進する。
そして、前記直進により、筆記部２０がキャップ部４０から離隔するとともに、軸筒１０側の支持軸１１ａ，１１ｂが、それぞれ、アーム部５１，５２の支持孔５１ａ，５２ａの後端内縁に当接する（図６（ｂ），図８（ｂ），図９（ｂ）参照）。
この当接状態では、図８（ｂ）に示すように、支持軸１１ａが、支持孔５１ａの懐部５１ａ２内に位置するため、該懐部５１ａ２との嵌合や摩擦等により、元の状態（図８（ａ）参照）に戻り難くなる。
【００４４】
次に、軸筒１０から手指等を離すと、軸筒１０は、第一の付勢部材６０の付勢力によって筆記部軸方向に交差する方向へ自動的に回転し、元の状態から１８０度回転した位置となる（図７（ｃ），図８（ｃ）（ｄ），図９（ｃ）（ｄ）参照）。
そして、この回転後の位置で、軸筒１０は、第二の付勢部材７０に引っ張られて、キャップ部４０及びアーム部５１，５２に対し近付き、支持軸１１ａ，１１ｂの外周面を、それぞれ支持孔５１ａ，５２ａの後端内縁に当接させて静止する（図１１（ｄ），図８（ｅ）及び図９（ｅ）参照）。
【００４５】
この状態で、本体部１１が、親指と人差指によって厚み方向に挟まれるとともに、一方のアーム部５１が中指によって下方から受けられるようにして把持され、筆記が行われる。この際、キャップ部４０及びアーム部５１，５２は、軸筒１０後部寄りに位置するため（図７（ｄ）参照）、筆記の邪魔になることがない。
【００４６】
また、筆記部２０にキャップ部４０を被せて嵌合する際には、上記と逆の動作を行えばよい。
【００４７】
また、上記構成のキャップ付き筆記具１は、複数重ね合わせるようにして接続することが可能である。詳細に説明すれば、図１０に示すように、下側のキャップ付き筆記具１に対し、上側のキャップ付き筆記具１を重ね合わせ押圧すれば、下側のキャップ付き筆記具１の被接続部１１ｄに対し、上側のキャップ付き筆記具１の接続部１１ｃが嵌り合い、上下のキャップ付き筆記具１，１が安定した接続状態となる。
よって、複数のキャップ付き筆記具１を省スペースに接続することができ、ひいては、当該キャップ付き筆記具１の収納性や搬送性等を向上することができる。
【００４８】
＜キャップ付き筆記具２について＞
次に、本実施の形態の他の具体例について説明する。なお、以下に示すキャップ付き筆記具において、上述したキャップ付き筆記具１と略同構造の箇所については、同一の符号を付けることで重複する詳細説明を省略する。
【００４９】
図１１に示すキャップ付き筆記具２では、キャップ付き筆記具１の構成において、二つの支持軸１１ａ，１１ｂのうち、その一方（図１１によれば支持軸１１ｂ）を他方よりも寸法ｗだけ後方側へずらして配置し、キャップ部４０及びアーム部５１，５２が他方の支持軸１１ａを中心にして略１８０度回転した場合に、前記一方の支持軸１１ｂが対応する支持孔５２ａの後端内縁５２ａ１に当接して（図１１（ｃ）参照）、キャップ部４０及びアーム部５１，５２が前進しないようにしている。
【００５０】
このキャップ付き筆記具２において、支持軸１１ｂに対応する支持孔５２ａは、キャップ部４０が筆記部２０から離隔した状態（図１１（ｂ）の状態）で、支持軸１１ａの中心線を境に左右の長さが略同一の長孔状に形成される。
【００５１】
このキャップ付き筆記具２によれば、略１８０度回転した後の軸筒１０がキャップ部４０に近づく方向へ移動しないため、キャップ部４０から軸筒１０を外し回転させて筆記可能な状態にするまでの動作を短縮化することができ、ひいては、速やかに筆記姿勢をとることができる。
その上、図１１（ｃ）に示すように、筆記部２０がアーム部５１，５２よりも前方へ突出する量を多く確保でき、ひいては、アーム部５１，５２が筆記面（例えば紙面等）に接触するのを防ぐこともできる。
【００５２】
なお、図示例によれば、キャップ部４０を進退可能且つ回動可能に支持する構造として、キャップ部４０と一体のアーム部５１，５２を軸筒１０に対し進退可能且つ回動可能に枢支したが、他例としては、アーム部を軸筒に対し回動可能に枢支するとともに、キャップ部をアーム部に対し進退可能に接続した態様とすることも可能である。
【００５３】
また、図示例によれば、特に好ましい態様として一対のアーム部５１，５２によりキャップ部４０を支持するようにしたが、他例としては、単一のアーム部によってキャップ部４０を支持する構造とすることも可能である。
【００５４】
また、図示例によれば、支持軸１１ｂの先端側とアーム部５２の外側の壁面とを係合させなかったが（図５参照）、支持軸１１ａとアーム部５１の補助案内溝５１ｂの関係と同様にして、支持軸１１ｂの先端側をアーム部５２の外側の壁面に係合させ、アーム部５１の回転時及び進退時のがたつきを、より効果的に防止することも可能である。
逆に、支持軸１１ａ，１１ｂの基軸部１１ａ１，１１ｂ１とアーム部５１，５２との係合のみで回転時及び進退時のがたつきを十分に防止できれば、前記先端軸部１１ａ３及び補助案内溝５１ｂ等の構成を省くことも可能である。
【００５５】
また、図示例によれば、第一の付勢部材６０をねじりコイルバネにより構成したが、この第一の付勢部材６０の他例としては、ゼンマイの一端を支持軸１１ａに止着するとともにその他端をアーム部５１に止着した態様や、支持軸１１ａ自体を弾性的にねじり回転可能なゴムやスプリング等により構成した態様等とすることも可能である。
【００５６】
また、図示例によれば、第二の付勢部材７０を引張コイルバネにより構成したが、この第二の付勢部材７０の他例としては、圧縮コイルバネや、板バネ、ゴム等を用いた態様とすることも可能である。
【００５７】
また、図示例のキャップ付き筆記具１，２は、ラインマーカーや、蛍光ペン、蛍光マーカー、ホワイトボードマーカー、フェルトペン、サインペン等を含むマーキングペンとして構成したが、他例としては、略同様の構造を用いて、ボールペンや修正ペン等を構成することも可能である。
【００５８】
また、図示例のキャップ付き筆記具１，２に付加する構成として、軸筒１０がキャップ部４０から離隔して略１８０度回動した状態で、アーム部５１，５２を軸筒１０に係脱可能に係止する係止手段を設けるようにしてもよい。この係止手段は、例えば、アーム部５１，５２と軸筒１０とのうちの一方に、係止突起を設けるとともに、その他方に、前記回動によって乗り越え嵌合し逆方向への回動により外れる被係止突起を設ければよい。
【００５９】
また、図示例によれば、軸筒１０、キャップ部４０及びアーム部５１，５２は、それぞれ合成樹脂材料により成形されるが、キャップ部４０の着脱や二つのキャップ付き筆記具１，１（又は２，２）同士の連結及び離脱を可能にする程度の弾性を有すれば、金属材料等、他の材料から形成することも可能である。
【符号の説明】
【００６０】
１，２：キャップ付き筆記具            １０：軸筒
１１：本体部                          １１ａ，１１ｂ：支持軸
１１ｃ：接続部                        １１ｄ：被接続部
１２：筒状保持部                      ２０：筆記部
４０：キャップ部                      ５１，５２：アーム部
５１ａ，５２ａ：支持孔                ６０：第一の付勢部材
７０：第二の付勢部材
【図１】
2014091227.tif 000003
【図２】
2014091227.tif 000004
【図３】
2014091227.tif 000005
【図４】
2014091227.tif 000006
【図５】
2014091227.tif 000007
【図６】
2014091227.tif 000008
【図７】
2014091227.tif 000009
【図８】
2014091227.tif 000010
【図９】
2014091227.tif 000011
【図１０】
2014091227.tif 000012
【図１１】
2014091227.tif 000013